(57)【要約】【課題】  画像表示装置のホワイトバランス計測をより高精度に、かつ、安定して測定することができ、しかも、大掛かりな暗幕付のステーションの構築を不要としたホワイトバランス調整装置を提供すること。【解決手段】  表示画面ｗ１側に当接させて液晶テレビW（画像表示装置）を支持し、その支持した液晶テレビWの下方にセンサー面が表示画面ｗ１と平行となるように設けた画像センサー２で、表示画面ｗ１のホワイトバランス状態を検出する。そして、画像センサー２の検出結果に基づいてホワイトバランスの調整信号を液晶テレビｗに送信する。また、かかる部分のみ外光を遮断する暗幕Ｂを設ける。【選択図】図１
2006217358.tif 000002
【特許請求の範囲】
【請求項１】
画像表示装置における表示画面のホワイトバランスを調整するホワイトバランス調整装置であって、
前記表示画面側に当接させて前記画像表示装置を支持させる支持手段と、
前記支持手段に支持された前記画像表示装置の下方に、センサー面が前記表示画面と平行となるように設けられ前記表示画面のホワイトバランス状態を検出する画像センサーと、
前記画像センサーの検出結果に基づいて前記ホワイトバランスの調整信号を前記画像表示装置へ送信するホワイトバランス調整手段と
を備えたことを特徴とするホワイトバランス調整装置。
【請求項２】
前記支持手段は、前記表示画面側に当接させて前記画像表示装置を載置させると共に載置面に開口部を設けた搬送パレットと、前記画像表示装置を載置させた前記搬送パレットの端部を支持させて所定位置に搬入させると共にその所定位置から搬出させる搬送手段とを備え、
前記画像センサーは、前記所定位置に搬送された前記搬送パレットの下方から前記開口部を介して前記表示画面のホワイトバランス状態を検出することを特徴とする請求項１記載のホワイトバランス調整装置。
【請求項３】
前記搬送手段は、前記搬送パレットの搬送方向の両端部を支持させたコンベアであると共に、
前記画像センサーは、前記コンベアの機枠に取着されていることを特徴とする請求項２記載のホワイトバランス調整装置。
【請求項４】
前記搬送パレットは、前記画像表示装置と電気的な接続がされる第１コネクタが設けられると共に、
前記ホワイトバランス調整手段に接続され、前記所定位置に搬送された前記搬送パレットの前記第１コネクタに進退動させて前記第１コネクタと電気的な接続及び遮断を行う第２コネクタを備えていることを特徴とする請求項２または３記載のホワイトバランス調整装置。
【請求項５】
画像表示装置における表示画面のホワイトバランスを調整するホワイトバランス調整方法であって、
前記表示画面側に当接して前記画像表示装置を支持し、
その支持した前記画像表示装置の下方にセンサー面が前記表示画面と平行となるように設けた画像センサーで、前記表示画面のホワイトバランス状態を検出し、
前記画像センサーの検出結果に基づいて前記ホワイトバランスの調整信号を前記画像表示装置に送信することを特徴としたホワイトバランス調整方法。
【発明の詳細な説明】
【技術分野】
【０００１】
本発明は、画像表示装置における表示画面のホワイトバランスを調整するホワイトバランス調整装置及びホワイトバランス調整方法に関する。
【背景技術】
【０００２】
液晶テレビやブラウン管テレビ、あるいはコンピュータディスプレイ等の画像表示装置は、その表示画面の製造過程において、ホワイトバランスの調整を行っている。
例えば、カラーテレビ受像機の場合、搬送用コンベアに載置されたパレットにカラーテレビ受像機を載置させ、移動を停止した後に、立設されたブラウン管と直交する方向（水平方向）に設けたセンサーでホワイトバランス計測を行うとした検査システムが提案されている（例えば特許文献１参照）。
【特許文献１】特開昭６３−２６０２９４号公報（第１頁、図１）
【発明の開示】
【発明が解決しようとする課題】
【０００３】
ところで、画像表示装置は、ブラウン管テレビやブラウン管モニタの他に、上述したように、例えば液晶テレビや液晶モニタ等があるが、周知の通り、液晶テレビ等は、表示画面を上下に首振り可能にさせたり、左右方向に首振り可能にして、さらなる利便性を向上させている。
【０００４】
このような利便性を向上させた液晶テレビや液晶モニタ等は、上記した検査システムでホワイトバランス計測を行うと、下記の問題点を有していた。
すなわち、画像表示装置をパレットに正常に載置したつもりでも、表示画面が僅かに上下あるいは左右方向に首振りしている場合がある。
これでは、ホワイトバランス状態を検出する画像センサーと表示画面とが平行にならず、測定誤差を生じる可能性があった。
【０００５】
また、昨今の液晶テレビや液晶モニタ等におけるホワイトバランスの計測は、以前と比較してより高精度の計測および調整が要求されており、測定誤差を減少させる必要もある。
さらに、ホワイトバランスの計測は、通常、製造ラインの一部に組み込まれており、その製造ラインにおいて、ホワイトバランスの計測部は、外光による測定誤差を防止するために、従来、大掛かりな暗幕付のステーションとなっていた。
【０００６】
そこで本発明は、画像表示装置のホワイトバランス計測をより高精度に、かつ、安定して測定することができ、しかも、大掛かりな暗幕付のステーションの構築を不要としたホワイトバランス調整装置及びホワイトバランス調整方法を提供することを目的とする。
【課題を解決するための手段】
【０００７】
上記技術課題を達成するために、本発明にかかるホワイトバランス調整装置及びホワイトバランス調整方法は、下記の技術的手段を講じた。
すなわち、請求項１にかかるホワイトバランス調整装置は、画像表示装置における表示画面のホワイトバランスを調整するホワイトバランス調整装置であって、前記表示画面側に当接させて前記画像表示装置を支持させる支持手段と、前記支持手段に支持された前記画像表示装置の下方に、センサー面が前記表示画面と平行となるように設けられ前記表示画面のホワイトバランス状態を検出する画像センサーと、前記画像センサーの検出結果に基づいて前記ホワイトバランスの調整信号を前記画像表示装置へ送信するホワイトバランス調整手段とを備えたことを特徴とする。
請求項２にかかるホワイトバランス調整装置は、請求項１において、前記支持手段は、前記表示画面側に当接させて前記画像表示装置を載置させると共に載置面に開口部を設けた搬送パレットと、前記画像表示装置を載置させた前記搬送パレットの端部を支持させて所定位置に搬入させると共にその所定位置から搬出させる搬送手段とを備え、前記画像センサーは、前記所定位置に搬送された前記搬送パレットの下方から前記開口部を介して前記表示画面のホワイトバランス状態を検出することを特徴とする。
請求項３にかかるホワイトバランス調整装置は、請求項２において、前記搬送手段は、前記搬送パレットの搬送方向の両端部を支持させたコンベアであると共に、前記画像センサーは、前記コンベアの機枠に取着されていることを特徴とする。
請求項４にかかるホワイトバランス調整装置は、請求項２または３において、前記搬送パレットは、前記画像表示装置と電気的な接続がされる第１コネクタが設けられると共に、前記ホワイトバランス調整手段に接続され、前記所定位置に搬送された前記搬送パレットの前記第１コネクタに進退動させて前記第１コネクタと電気的な接続及び遮断を行う第２コネクタを備えていることを特徴とする。
請求項５にかかるホワイトバランス調整方法は、画像表示装置における表示画面のホワイトバランスを調整するホワイトバランス調整方法であって、前記表示画面側に当接して前記画像表示装置を支持し、その支持した前記画像表示装置の下方にセンサー面が前記表示画面と平行となるように設けた画像センサーで、前記表示画面のホワイトバランス状態を検出し、前記画像センサーの検出結果に基づいて前記ホワイトバランスの調整信号を前記画像表示装置に送信することを特徴とする。
【発明の効果】
【０００８】
本発明によれば、表示画面側に当接させて画像表示装置を支持し、その支持した前記画像表示装置の下方にセンサー面が前記表示画面と平行となるように設けた画像センサーで、表示画面のホワイトバランス状態を検出することで、画像センサーと表示画面との距離と、画像センサーと表示画面との平行度は常に一定となるから、画像表示装置のホワイトバランス計測をより高精度に、かつ、安定して測定することができる。
【０００９】
しかも、従来のように、立設された表示画面と直交する方向（水平方向）にセンサーを設ける構成と比較して、例えば、表示画面を水平または略水平に支持し、その水平または略水平に支持した表示画面の下方にセンサーを設けたので、その部分だけ外光を遮断すれば良いことになり、その結果、極めて小型の暗幕付のステーションを採用することができる。
【発明を実施するための最良の形態】
【００１０】
次に、本発明を実施するための最良の形態を、図面を参照して具体的に説明する。
【００１１】
本実施の形態にかかるホワイトバランス調整装置は、支持手段１と、画像センサー２と、ホワイトバランス調整手段３とを備えて構成され、液晶テレビWのホワイトバランス調整を高精度に行える好適なものが例示されている。
【００１２】
支持手段１は、搬送パレット１１と、搬送手段１２とを備えてなる。
【００１３】
搬送パレット１１は、外観形状が略矩形状に形成されると共に、平面視四隅近傍に液晶テレビWの表示画面ｗ１の四隅に当接させて位置決めする略L字状のガイド部材１１１が上方に向かって突設されている。このガイド部材１１１より内側平面は、液晶テレビWを載置させる載置面となっており、その載置面略中央部には表裏に連通する２つの開口部１１２が形成されている。
【００１４】
また、この搬送パレット１１は、載置面に表示画面ｗ１側に当接させて載置させた液晶テレビWと電気的に結線されると共に後述する第２コネクタ１２８と挿脱可能に形設された第１コネクタ１１３が平面視中央下部に上方に向かって突設されている。
【００１５】
搬送手段１２は、搬送パレット１１の搬送方向の両端部を水平に支持させる一対の無端ベルト１２１を備え、ホワイトバランス調整を行う調整ステーションに液晶テレビWを水平に搬入させると共にその調整ステーションから搬出させるコンベアである。
また、コンベアを構成する機枠１２２は、図２及び図３に示すように、水平方向に構成杆１２３が架設された水平出し可能な側面視略門型状に形成されている。
【００１６】
さらに調整ステーションには、図１及び図３に示すように、構成杆１２３の略中央に上方に向かってシリンダ１２４が固設されており、そのシリンダ１２４のロッド先端にウレタンゴム等の部材で略ブロック状に形成された進退動可能なストッパ１２５が設けられている。このストッパ１２５は、前進動をさせることで、調整ステーションに搬送されてきた搬送パレット１１の側面に当接させて搬送パレット１１を所定位置に停止させると共に、後退動をさせることで、搬送パレット１１の停止を解除させて搬送再開させるものである。
【００１７】
また、調整ステーションの所要位置の機枠１２２上面には、図１及び図２に示すように、取付ステー１２６が取着され、その取付ステー１２６上面にシリンダ１２７が固設されている。そして、そのシリンダ１２７のロッド先端には、後述するホワイトバランス調整手段３に電気的に接続されると共に、調整ステーションに搬送された搬送パレット１１の第１コネクタ１１３に進退動させて第１コネクタ１１３と電気的な接続及び遮断を行う第２コネクタ１２８が設けられている。
この第２コネクタ１２８は、コンピューター（ホワイトバランス調整手段３）に接続された通信インターフェース４に接続されている。
【００１８】
画像センサー２は、液晶テレビWの表示画面ｗ１の輝度情報を検出する輝度検出センサー２１と、液晶テレビWの表示画面ｗ１の色度情報を検出する色度検出センサー２２とを備え、コンピューター（ホワイトバランス調整手段３）と接続されたカラーアナライザー５に電気的に接続されて、この輝度情報と色度情報とに基づいてホワイトバランス状態を検出するようになっている。
【００１９】
この一対の画像センサー２は、図２に示すように、側面視略門型状の機枠１２２に水平方向に架設され、上下動スライド可能及び任意の位置で固定可能に構成された支持杆１２９（この支持杆１２９は一対であり図２おいて奥行き方向に並設されている）に、上述した２つの開口部１１２の夫々の中心軸線上に夫々のセンサー面が位置するように、かつ、液晶テレビWの表示画面ｗ１と夫々のセンサー面とが平行になるように固設されている。なお、画像センサー２の高さ調整が可能になっているが、調整後は画像センサー２が動かないように固定する。
【００２０】
ホワイトバランス調整手段３は、カラーアナライザー５を介して検出された液晶テレビWの表示画面ｗ１のホワイトバランス値と、予め設定されたホワイトバランス値とを比較して、ホワイトバランスの調整値を生成する所定の制御プログラムが組み込まれたコンピューターであり、通信インターフェース４でホワイトバランスの調整値をホワイトバランスの調整信号に変換し、通信インターフェース４と接続された第２コネクタ１２８及び第１コネクタ１１３を介して、液晶テレビWへホワイトバランスの調整信号を送信するようになっている。
【００２１】
また、調整ステーションは、外光による測定誤差を防止するために、通信インターフェース４、コンピューター（ホワイトバランス調整手段３）、カラーアナライザー５を除いて暗幕Bで被装されている。なお、表示画面ｗ１を水平に支持し、その水平に支持した表示画面ｗ１の下方にセンサーを設けたので、極めて少ないスペースのみを暗幕Bで覆っている。
【００２２】
次に、以上のように構成されたホワイトバランス調整装置の一連の動作を説明する。
まず、搬送手段１２に載置された搬送パレット１１の載置面に表示画面ｗ１側を当接して液晶テレビWを載置すると共に第１コネクタ１１３と液晶テレビWとを電気的に接続し、暗幕Bで覆われた調整ステーションに向かって搬送する。
【００２３】
ストッパ１２５を搬送面より上方に突出して、搬送されてきた搬送パレット１１の側面に当接させて搬送パレット１１を停止する。
第１コネクタ１１３に向かって第２コネクタ１２８が前進動して、第１コネクタ１１３と第２コネクタ１２８が接続すると同時に、搬送パレット１１の下方に配設された画像センサー２によるホワイトバランス状態の検出を、開口部１１２を介して開始する。
【００２４】
ホワイトバランス調整手段３は、カラーアナライザー５を介して検出した液晶テレビWの表示画面ｗ１のホワイトバランス値と、予め設定されたホワイトバランス値とを比較し、生成したホワイトバランスの調整信号を第１コネクタ１１３と第２コネクタ１２８を介して液晶テレビWに送信する。
【００２５】
液晶テレビWの表示画面ｗ１が予め設定されたホワイトバランス値になったら、第２コネクタ１２８が後退動して、第１コネクタ１１３から第２コネクタ１２８を取り外し、次いで、ストッパ１２５を搬送面より下方に後退して、搬送パレット１１の搬送を再開する。搬送が再開された搬送パレット１１は、次のステーションに向かって移動し、ホワイトバランスの調整ステーションにおける一連の動作は終了する。
【００２６】
このように本実施の形態にかかるホワイトバランス調整装置は、表示画面ｗ１側に当接させて液晶テレビWを支持した搬送パレット１１の下方に、センサー面が前記表示画面ｗ１と平行となるように画像センサー２設け、表示画面ｗ１のホワイトバランス状態を検出している。このようにすることで、画像センサー２と表示画面ｗ１との距離と、画像センサー２と表示画面ｗ１との平行度は搬送されてくる液晶テレビW毎常に一定となり、ホワイトバランス計測をより高精度に、かつ、安定して測定することができるようになっている。
【００２７】
なお、表示画面ｗ１側に当接して液晶テレビWを支持し、その支持した液晶テレビWの下方にセンサー面が表示画面ｗ１と平行となるように設けた画像センサー２で、表示画面ｗ１のホワイトバランス状態を検出し、画像センサー２の検出結果に基づいてホワイトバランスの調整信号を液晶テレビWに送信するとしたホワイトバランス調整方法でも良いものである。
【００２８】
以上、具体的な実施の形態について説明したが、本発明は上記実施の形態に限定されず、発明の要旨を変更しない範囲で適宜変更して実施できることは言うまでもない。
【図面の簡単な説明】
【００２９】
【図１】本実施の形態にかかるホワイトバランス調整装置の概略を示した平面図である。
【図２】図１におけるY１−Y１線に沿える断面図である。
【図３】図１におけるY２−Y２線に沿える断面図である。
【符号の説明】
【００３０】
１  支持手段
１１  搬送パレット
１１１  ガイド部材
１１２  開口部
１１３  第１コネクタ
１２  搬送手段
１２１  無端ベルト
１２２  機枠
１２３  構成杆
１２４  シリンダ（ストッパ駆動用）
１２５  ストッパ
１２６  取付ステー
１２７  シリンダ（第２コネクタ駆動用）
１２８  第２コネクタ
１２９  支持杆
２  画像センサー
２１  輝度検出センサー
２２  色度検出センサー
３  ホワイトバランス調整手段
４  通信インターフェース
５  カラーアナライザー
W  液晶テレビ
ｗ１  表示画面
B  暗幕
【図１】
2006217358.tif 000003
【図２】
2006217358.tif 000004
【図３】
2006217358.tif 000005